(57)【特許請求の範囲】
【請求項１】
ＩＳＤＮ回線を終端制御する電話装置と、内線伝送路を介して前記電話装置へ接続されて前記電話装置へ電源が供給されている通電状態および前記電話装置への電源供給が停止している停電状態で前記ＩＳＤＮ回線を用いた通話を行う停電用電話機とを有するＩＳＤＮ電話システムであって、
前記ＩＳＤＮ回線と前記電話装置との間に設けられ、前記ＩＳＤＮ回線の通話チャネルを前記電話装置側または前記停電用電話機側のいずれかへ切替接続する回線切替装置をさらに備え、
前記停電用電話機は、前記停電状態で前記回線切替装置を経由して前記ＩＳＤＮ回線の通話チャネルを用いて通話を開始する停電動作部と、前記通電状態で前記電話装置を介して前記ＩＳＤＮ回線の通話チャネルを用いて通話を開始し、前記停電状態から前記通電状態となった際、前記停電動作部により通話が行われている場合には、前記停電動作部による通話を維持する通電動作部とを有し、
前記電話装置は、前記停電状態では前記回線切替装置を経由して前記ＩＳＤＮ回線のうち前記停電用電話機により使用可能な通話チャネルと前記停電用電話機とを接続し、前記停電状態から前記給電状態となった際、前記回線切替装置経由での前記停電用電話機による前記ＩＳＤＮ回線の各通話チャネルの使用状況を検出し、これら通話チャネルに対応する前記停電用電話機の外線ランプを点灯制御する制御部を有することを特徴とするＩＳＤＮ電話システム。
【請求項２】
請求項１記載のＩＳＤＮ電話システムにおいて、
前記回線切替装置を経由して前記ＩＳＤＮ回線の通話チャネルのうち予め固定的に対応付けられた通話チャネルとそれぞれ接続される複数の前記停電用電話機をさらに備え、
前記制御部は、前記停電状態から前記給電状態となった際、前記各停電用電話機から取得した当該停電用電話機の動作状況に基づき、これら停電用電話機と対応する通話チャネルの使用状況を検出することを特徴とするＩＳＤＮ電話システム。
【請求項３】
請求項２記載のＩＳＤＮ電話システムにおいて、
前記制御部は、前記動作状況として当該停電用電話機のフックスイッチの状態を用いることを特徴とするＩＳＤＮ電話システム。
【請求項４】
請求項１記載のＩＳＤＮ電話システムにおいて、
前記回線切替装置は、前記停電用電話機に対して前記ＩＳＤＮ回線の通話チャネルを任意に切替接続するとともに、前記選択した通話チャネルを前記電話装置へ通知する切替制御部を有し、
前記制御部は、前記停電状態から前記給電状態となった際、前記回線切替装置からの通知に基づき、前記各通話チャネルの使用状況を検出することを特徴とするＩＳＤＮ電話システム。
【発明の詳細な説明】
【０００１】
【発明の属する技術分野】
本発明は、ＩＳＤＮ電話システムに関し、ＩＳＤＮ回線を終端制御する電話装置が停電状態でも、停電用電話機によりそのＩＳＤＮ回線を用いた通話を実現するＩＳＤＮ電話システムに関するものである。
【０００２】
【従来の技術】
ＩＳＤＮ回線へ接続されて終端制御する電話装置では、その電話装置に収容される電話機（以下、子機という）として停電用電話機（以下、停電用子機という）を設け、電話装置への電源供給が停止した停電状態でも停電用子機によりＩＳＤＮ回線を用いた通話を実現するものもある。
このような場合、ＩＳＤＮ回線と電話装置との間に回線切替装置を設けて、ＩＳＤＮ電話システムを構成し、電話装置が停電状態となった場合に、その回線切替装置でＩＳＤＮ回線を電話装置側から停電用電話機へ切替接続して、停電用子機による通話を実現している。また、停電用子機の内部にこのような回線切替装置を含むものもある。
【０００３】
図１０に従来のＩＳＤＮ電話システムを示す。ここでは、ボタン電話装置を例として主装置２が上記電話装置に相当し停電用子機３０が停電用電話機に相当する場合について説明する。
回線切替装置９には、ＩＳＤＮ回線（Ｕ点インターフェース）１０を主装置２側または停電用子機３０側のいずれかへ切替接続する回線切替部９１と、主装置２と停電用子機３０とを結ぶ内線伝送路９Ｃを介して主装置２から停電用子機３０へ供給される電源に応じて回線切替部９１を制御する切替制御部９２とが設けられている。
また、停電用子機３０は回線切替装置９を介して、主装置２またはＩＳＤＮ回線１０のいずれかへ接続される。
【０００４】
主装置２へ電源が供給されている通電状態では、主装置２から停電用子機３０へ内線伝送路９Ｃを介して電源が供給される。切替制御部９２ではこの停電用子機３０へ供給される電源を用いて回線切替部９１のリレーＬを駆動している。
したがって、通電状態では、切替制御部９２により回線切替部９１のリレーＬが駆動されてＩＳＤＮ回線１０が通電伝送路９Ａを介して主装置２側に接続される。
【０００５】
また、停電状態となった場合は、停電用子機３０への電源供給が停止するためリレーＬの駆動が停止し、ＩＳＤＮ回線１０は停電伝送路９Ｂを介して停電用子機３０側へ切替接続される。これにより、停電用子機３０では、ＩＳＤＮ回線１０を介して網側から供給される電源により動作可能となる。
その後、主装置２へ電源が再給電された時点で、主装置２から停電用子機３０へ電源が供給されるため、リレーＬが駆動されてＩＳＤＮ回線１０が通電伝送路９Ａを介して主装置２側に接続される。
【０００６】
【発明が解決しようとする課題】
しかしながら、このような従来のＩＳＤＮ電話システムでは、電話装置への再給電に応じて、回線切替部でＩＳＤＮ回線が停電用電話機側から電話装置側へ切り替えられる。したがって、その際、停電用電話機で停電伝送路および回線切替部を介して通話していた場合でも、回線切替部によりＩＳＤＮ回線が通電伝送路側へ強制的に切り替えられるため、停電伝送路を介した通話が切断されてしまうという問題点があった。
また、停電中において、ＩＳＤＮ回線の２つの通話チャネルＢ１，Ｂ２のうち停電用電話機が一方の通話チャネルを使用している場合でも、Ｕ点インターフェースが占有されてしまい、空き状態の通話チャネルＢ２を利用できないという問題点があった。
本発明はこのような課題を解決するためのものであり、主装置への再給電時に停電用子機の通話を維持することができ、また停電状態でも複数の通話チャネルを有効に利用できるＩＳＤＮ電話システムを提供することを目的としている。
【０００７】
【課題を解決するための手段】
このような目的を達成するために、本発明にかかるＩＳＤＮ電話システムは、ＩＳＤＮ回線を終端制御する電話装置と、内線伝送路を介して電話装置へ接続されて電話装置へ電源が供給されている通電状態および電話装置への電源供給が停止している停電状態でＩＳＤＮ回線を用いた通話を行う停電用電話機とを有するＩＳＤＮ電話システムであって、ＩＳＤＮ回線と電話装置との間に設けられ、ＩＳＤＮ回線の通話チャネルを電話装置側または停電用電話機側のいずれかへ切替接続する回線切替装置をさらに備え、停電用電話機に、停電状態で回線切替装置を経由してＩＳＤＮ回線の通話チャネルを用いて通話を開始する停電動作部と、通電状態で電話装置を介してＩＳＤＮ回線の通話チャネルを用いて通話を開始し、停電状態から通電状態となった際、停電動作部により通話が行われている場合には、停電動作部による通話を維持する通電動作部とを設け、電話装置に、停電状態では回線切替装置を経由してＩＳＤＮ回線のうち停電用電話機により使用可能な通話チャネルと停電用電話機とを接続し、停電状態から給電状態となった際、回線切替装置経由での停電用電話機によるＩＳＤＮ回線の各通話チャネルの使用状況を検出し、これら通話チャネルに対応する停電用電話機の外線ランプを点灯制御する制御部を設けたものである。
【０００８】
また、回線切替装置を経由してＩＳＤＮ回線の通話チャネルのうち予め固定的に対応付けられた通話チャネルとそれぞれ接続される複数の停電用電話機をさらに備え、制御部で、停電状態から給電状態となった際、各停電用電話機から取得した当該停電用電話機の動作状況に基づき、これら停電用電話機と対応する通話チャネルの使用状況を検出するようにしてもよい。
このとき、制御部で、動作状況として当該停電用電話機のフックスイッチの状態を用いてもよい。
【０００９】
また、回線切替装置に、停電用電話機に対してＩＳＤＮ回線の通話チャネルを任意に切替接続するとともに、選択した通話チャネルを電話装置へ通知する切替制御部を設け、制御部で、停電状態から給電状態となった際、回線切替装置からの通知に基づき、各通話チャネルの使用状況を検出するようにしてもよい。
【００１０】
【発明の実施の形態】
次に、本発明の実施の形態について図面を参照して説明する。
図１は本発明の第１の実施の形態にかかるＩＳＤＮ電話システムの構成を示すブロック図である。以下では、本実施の形態にかかるＩＳＤＮ電話システムをボタン電話装置に適用した例について説明する。
ボタン電話装置は、ＩＳＤＮ回線１０を終端制御する主装置２（電話装置）と、この主装置２に収容される子機３および停電用子機（停電用電話機）３０Ａ，３０Ｂから構成されており、主装置２は商用電源で動作し、子機３および停電用子機３０Ａ，３０Ｂは主装置２から供給される電源により動作している。
【００１１】
ＩＳＤＮ電話システムは、このような主装置２および停電用子機３０Ａ，３０Ｂと、ＩＳＤＮ回線（Ｕ点インターフェース）１０と主装置２との間に設けられた回線切替装置１とから構成されている。
【００１２】
この回線切替装置１には、ＤＳＵ（デジタルサービスユニット）１１、２Ｗインターフェース部（２ＷＩ／Ｆ部）１２，１３が設けられている。
ＤＳＵ１１は、ＩＳＤＮ回線１０を介して網側から供給された電源に基づき動作して、ＩＳＤＮ回線１０のＵ点インターフェースを終端制御し、通電伝送路２０を介して主装置２側へＳ／Ｔ点インターフェースを提供するとともに、回線切替装置１内でＩＳＤＮ回線１０の２つの通話チャネルポートＢ１，Ｂ２を提供する回路部である。
【００１３】
２ＷＩ／Ｆ部１２は、ＤＳＵ１１の通話チャネルポートＢ１から供給された電源に基づき動作し、通話チャネルポートＢ１とアナログ停電回線１０Ａとをインターフェースする回路部である。
２ＷＩ／Ｆ部１３は、ＤＳＵ１１の通話チャネルポートＢ２から供給された電源に基づき動作し、通話チャネルポートＢ２とアナログ停電回線１０Ｂとをインターフェースする回路部である。
【００１４】
図２は、主装置２の構成を示すブロック図である。
主装置２には、外線インターフェース部（外線Ｉ／Ｆ部）２１、交換接続部２２、内線インターフェース部（内線Ｉ／Ｆ部）２３、制御部２４および記憶部２５が設けられている。
外線Ｉ／Ｆ部２１は、通電伝送路２０を介して回線切替装置１のＤＳＵ１１から提供されるＩＳＤＮ回線のＳ／Ｔ点インターフェースを終端制御する回路部である。
【００１５】
内線Ｉ／Ｆ部２３は、内線伝送路を介して子機３および停電用子機３０Ａ，３０Ｂを収容して電源を供給するとともに、これら子機３および停電用子機３０Ａ，３０Ｂとデータ伝送により制御情報や音声情報をやり取りすることにより、子機３および停電用子機３０Ａ，３０Ｂの動作を制御し、さらには子機３および停電用子機３０Ａ，３０ＢによるＩＳＤＮ回線１０（通電伝送路２０）を用いた通話を実現する回路部である。
交換接続部２２は、外線Ｉ／Ｆ部２１の通話チャネルと内線Ｉ／Ｆ部２３の通話チャネルとを相互に接続して音声情報を受け渡す回路部である。
【００１６】
制御部２４は、ＣＰＵやその周辺回路からなり、記憶部２５に予め格納されているプログラムを読み込んで実行することにより、ハードウェア資源とソフトウェアとを協働させて呼制御手段２４Ａを実現し、呼制御手段２４Ａで外線Ｉ／Ｆ部２１を介して網側と呼制御メッセージをやり取りしたり、内線Ｉ／Ｆ部２３を介して制御情報をやり取りし、さらには交換接続部２２を切替制御することにより、ボタン電話装置全体を制御する回路部である。
記憶部２５は、制御部２４で実行されるプログラムを予め格納しているとともに、外線すなわちＩＳＤＮ回線１０の各通話チャネルＢ１，Ｂ２の状態や、子機３および停電用子機３０Ａ，３０Ｂの状態など、呼制御手段２４Ａによるボタン電話装置全体の制御に必要な管理情報を記憶する回路部である。
【００１７】
図３は、停電用子機３０Ａの構成を示すブロック図である。
停電用子機３０Ａには、内線伝送路２０Ａを介して主装置２側から供給された電源により動作する通電動作部３Ａと、アナログ停電回線１０Ａを介してＩＳＤＮ回線１０側から供給された電源により動作する停電動作部３Ｂとが設けられている。
【００１８】
通電動作部３Ａは、内線伝送路２０Ａから電源を取得して通電動作部３Ａの各回路部へ供給する電源部３１、内線伝送路２０Ａを介して主装置２とデータ伝送を行うことにより音声情報や制御情報をやり取りする伝送制御コーデック３２、伝送制御コーデック３２で受信された主装置２からの制御情報に基づき停電用子機３０Ａを制御するとともにフックスイッチ（ＨＳ）３９など停電用子機３０Ａでの操作を示す主装置２宛の制御情報を伝送制御コーデック３２へ渡す通電制御部３３から構成されている。
【００１９】
停電動作部３Ｂは、アナログ停電回線１０Ａを終端する回線インターフェース部（回線Ｉ／Ｆ部）３４、およびこの回線Ｉ／Ｆ部３４とアナログ停電回線１０Ａとの間に設けられ、回線Ｉ／Ｆ部３４とアナログ停電回線１０Ａとの接続を制御するリレーＲＬから構成されている。
通話部３８は、音声通話のためののマイクやスピーカ（図示せず）からなり、通電動作部３Ａの伝送制御コーデック３２と停電動作部３Ｂの回線Ｉ／Ｆ部３４とで共用される。
フックスイッチ（ＨＳ）３９は、停電用子機３０Ａでの通話状態を検出するスイッチであり、通電動作部３Ａの通電制御部３３と停電動作部３Ｂの回線Ｉ／Ｆ部３４とで共用される。
【００２０】
停電用子機３０Ａでは、通電状態において、内線伝送路２０Ａを介して主装置２から供給された電源が電源部３１から通電動作部３Ａの各部へ供給される。そして、主装置２からの制御情報は、伝送制御コーデック３２で受信されて通電制御部３３へ渡され、停電用子機３０Ａの各部が制御される。またフックスイッチ３９など停電用子機３０Ａでの操作を示す制御情報は、通電制御部３３から伝送制御コーデック３２へ渡され主装置２へ送信される。
また、主装置２からの音声情報は、伝送制御コーデック３２で受信されて復号化され通話部３８のスピーカ（図示せず）から出力される。また通話部３８のマイク（図示せず）から入力された音声信号は伝送制御コーデック３２により音声情報へ符号化され主装置２へ送信される。
【００２１】
一方、停電状態において、通電動作部３ＡによるリレーＲＬの駆動が停止されて、回線切替装置１からのアナログ停電回線１０Ａが回線Ｉ／Ｆ部３４へ接続され、終端制御される。
そして、フックスイッチ３９がオフフック状態となった場合は回線Ｉ／Ｆ部３４でアナログ停電回線１０Ａが捕捉され、回線切替装置１の２ＷＩ／Ｆ部１２およびＤＳＵ１１を介してＩＳＤＮ回線１０の通話チャネルＢ１を用いた通話可能状態となる。
その後、フックスイッチ３９がオンフック状態となった場合は回線Ｉ／Ｆ部３４でアナログ停電回線１０Ａが開放され、ＩＳＤＮ回線１０の通話チャネルＢ１が開放されて終話となる。
【００２２】
なお、図３では、停電用子機３０Ａを例として説明したが、停電用子機３０Ｂも上記と同様の構成を有している。なお、停電用子機３０Ｂの通電動作部３Ａは内線伝送路２０Ｂを介して主装置２の内線Ｉ／Ｆ部２３へ接続される。また、停電用子機３０Ｂの停電動作部３Ｂはアナログ停電回線１０Ｂを介して回線切替装置１の２ＷＩ／Ｆ部１３へ接続される。
したがって、停電状態では、ＩＳＤＮ回線１０の２つの通話チャネルＢ１，Ｂ２のうち、通話チャネルＢ１が停電用子機３０Ａへ固定的に割り当てられて発信／着信動作が行われ、通話チャネルＢ２が停電用子機３０Ｂへ固定的に割り当てられて発信／着信動作が行われることになる。
【００２３】
次に、図４を参照して、本実施の形態にかかるＩＳＤＮ電話システムの動作について説明する。図４はＩＳＤＮ電話システムの処理動作を示すフローチャートであり、図４（ａ）は停電用子機３０Ａ，３０Ｂの通電制御部３３における通話継続処理を示し、図４（ｂ）は主装置２の制御部２４における通話管理処理を示している。
【００２４】
停電用子機３０Ａ，３０Ｂでは、主装置２が停電状態から通電状態となって電源が内線伝送路２０Ａ，３０Ｂを介して再給電された場合、図４（ａ）の通話継続処理を実行する。
まず、通電動作部３Ａの通電制御部３３は、フックスイッチ３９の状態をチェックする（ステップ１００）。そして、フックスイッチ３９がオフフック状態の場合は（ステップ１０１：ＹＥＳ）、停電状態で開始された通話が継続されていると判断して、リレーＲＬの駆動を停止することにより（ステップ１０２）、アナログ停電回線１０Ａを用いた停電動作部３Ａの回線Ｉ／Ｆ部３４による通話を維持し、そのフックスイッチ３９の状態をデータ伝送により主装置２へ伝え（ステップ１０３）、一連の通話継続処理を終了する。
【００２５】
なお、フックスイッチ３９がオンフック状態の場合は（ステップ１０１：ＮＯ）、通話が継続されていないと判断して、リレーＲＬを駆動して（ステップ１０４）、アナログ停電回線１０Ａから回線Ｉ／Ｆ部３４を切り離し、回線Ｉ／Ｆ部３４による回線切替装置１を介したＩＳＤＮ回線の利用を制限する。
そして、ステップ１０３へ移行して、そのフックスイッチ３９の状態をデータ伝送により主装置２へ伝え、一連の通話継続処理を終了する。
【００２６】
主装置２の制御部２４では、主装置２が停電状態から通電状態となった時点すなわち復電時に、呼制御手段２４Ａを用いて図４（ｂ）の通話管理処理を実行する。
まず、内線Ｉ／Ｆ部２３からの再給電により動作開始状態にある停電用子機３０Ａ（ＴＥＬ１）および停電用子機３０Ｂ（ＴＥＬ２）とデータ伝送して、停電用子機３０Ａ，３０Ｂのフックスイッチ３９の状態を取得する（ステップ１１０）。
【００２７】
ここで、停電用子機３０Ａのフックスイッチ３９がオフフック状態の場合は（ステップ１１１：ＹＥＳ）、その停電用子機３０Ａが通話状態にあると判断し、その停電用子機３０Ａに固定的に割り当てられている通話チャネルＢ１（外線Ｂ１）が使用中状態であることを記憶部２５の管理情報へ設定更新する（ステップ１１２）。
そして、各子機３および停電用子機３０Ａ，３０Ｂとデータ伝送することにより、その通話チャネルＢ１に対応する外線Ｂ１のランプを点灯させて、外線Ｂ１が使用中であることを各子機３および停電用子機３０Ａ，３０Ｂで表示する（ステップ１１３）。
【００２８】
次に、呼制御手段２４Ａでは、停電用子機３０Ｂのフックスイッチ３９がオフフック状態の場合（ステップ１１４：ＹＥＳ）、その停電用子機３０Ｂが通話状態にあると判断し、その停電用子機３０Ａに固定的に割り当てられている通話チャネルＢ２（外線Ｂ２）が使用中状態であることを記憶部２５の管理情報へ設定更新する（ステップ１１５）。
そして、各子機３および停電用子機３０Ａ，３０Ｂとデータ伝送することにより、その通話チャネルＢ２に対応する外線Ｂ２のランプを点灯させて、外線Ｂ２が使用中であることを各子機３および停電用子機３０Ａ，３０Ｂで表示し（ステップ１１６）、一連の通話管理処理を終了する。
【００２９】
なお、ステップ１１１において、停電用子機３０Ａがオンフック状態であった場合は（ステップ１１１：ＮＯ）、ステップ１１４へ移行する。
また、ステップ１１４において、停電用子機３０Ｂがオンフック状態であった場合は（ステップ１１４：ＮＯ）、一連の通話管理処理を終了する。
【００３０】
したがって、主装置２の復電時に停電用子機３０Ａが回線切替装置１のアナログ停電回線１０Ａを介してＩＳＤＮ回線１０の通話チャネルＢ１で通話を行っていた場合は、図５のような動作となる。
図５は本実施の形態にかかるＩＳＤＮ電話システムの動作例を示すタイミングチャートである。
【００３１】
まず、時刻Ｔ１に主装置２が停電状態となった場合、内線伝送路２０Ａ，２０Ｂを介した電源供給が停止されて、停電用子機３０Ａ，３０ＢのリレーＲＬが復旧し、アナログ停電回線１０Ａ，１０Ｂとそれぞれの回線Ｉ／Ｆ部３４とが閉結される。
このような停電状態における時刻Ｔ２において、通話チャネルＢ１へ着信があった場合、ＤＳＵ１１から２ＷＩ／Ｆ部１２およびアナログ停電回線１０Ａを介して着信呼び出しが行われる。
【００３２】
これに対して停電用子機３０Ａでオフフック操作することにより着信応答した場合、回線Ｉ／Ｆ部３４によりアナログ停電回線１０Ａが捕捉されて、通話チャネルＢ１を用いた停電用子機３０Ａでの通話が開始される。
その後、時刻Ｔ３において、主装置２が停電状態から通電状態となった場合、停電用子機３０Ａでは通話が継続されておりオフフック状態であることから、リレーＲＬは駆動されずに閉結状態のままとなり、アナログ停電回線１０Ａを用いた通話が維持される。
【００３３】
また、主装置２は、停電用子機３０Ａがオフフック状態にあることから、通話チャネルＢ１が使用中であると判断して管理情報を更新し、各子機３および停電用子機３０Ａ，３０Ｂのランプを制御する。
これにより、外線Ｂ１のランプが点灯されて、利用者に対して外線Ｂ１が使用中であることが通知されるとともに、外線Ｂ２が空き状態であることが通知され、停電状態から通話が継続されている場合でも、外線の使用可否について利用者に対して的確に通知できる。
【００３４】
そして、その後の時刻Ｔ４における終話に応じて、停電用子機３１のリレーＲＬが駆動されて開放状態となり、アナログ停電回線１０Ａから回線Ｉ／Ｆ部３４が切り離される。
また主装置２は、通常の呼制御処理に基づき、停電用子機３０Ａのオフフックに応じて外線Ｂ１を用いた通話の終了を確認し、各子機３および停電用子機３０Ａ，３０Ｂのランプを制御する。
これにより外線Ｂ１のランプが消灯されて、外線Ｂ１が空き状態となったことが利用者へ通知される。
【００３５】
このように、ＩＳＤＮ回線１０と主装置２との間に回線切替装置１を設けて、ＩＳＤＮ回線１０が持つ複数の通話チャネルをそれぞれ個別に主装置側または停電用子機３０Ａ，３０Ｂ側のいずれかへ切替接続し、停電用子機３０Ａ，３０Ｂでは、通電状態で主装置２を経由してＩＳＤＮ回線１０の通話チャネルのいずれかを用いて通話を開始するとともに、停電状態で回線切替装置１を経由してＩＳＤＮ回線の通話チャネルのいずれかを用いて通話を開始するものとする。
そして、主装置２では、給電状態において回線切替装置１を経由してＩＳＤＮ回線のうち使用可能な通話チャネルと停電用子機３０Ａ，３０Ｂとを接続し、停電状態から給電状態となった際、回線切替装置１経由での停電用子機３０Ａ，３０ＢによるＩＳＤＮ回線の各通話チャネルの使用状況を検出して通話チャネルのうち使用可能な通話チャネルを確認するようにしたものである。
【００３６】
したがって、主装置２への再給電時に停電用子機３０Ａ，３０Ｂの通話を維持することができる。
また停電状態でも空き通話チャネルが占有されることなく２つの通話チャネルＢ１，Ｂ２を有効に利用できる。
これにより、従来のように、停電状態でいずれか１つの通話チャネルを使用している場合に、Ｕ点インターフェースが占有されてしまい、空き状態の通話チャネルＢ２を利用できない、ということがなくなり、これら通話チャネルを用いて代表サービスを構成しても、通電状態と同様にして空き通話チャネルへ着信をシフトさせて応答可能とするという当初の機能を実現できる。
【００３７】
また、各停電用子機３０Ａ，３０Ｂは、回線切替装置を経由してＩＳＤＮ回線の通話チャネルのうち予め固定的に対応付けられた通話チャネルとそれぞれ接続されるものとし、主装置２の制御部２４で、停電状態から給電状態となった際、各停電用子機から取得した当該停電用子機の動作状況、例えばフックスイッチの状態に基づき、これら停電用子機と対応する通話チャネルの使用状況を検出するようにしたので、比較的簡素な構成により停電状態でも各通話チャネルを個別に利用できるととともに、復電時に容易に各通話チャネルの使用状況を主装置２で把握できる。
【００３８】
次に、図６を参照して、本発明の第２の実施の形態にかかるＩＳＤＮ電話システムについて説明する。図６は本発明の第１の実施の形態にかかるＩＳＤＮ電話システムの構成を示すブロック図である。
以下では、本実施の形態にかかるＩＳＤＮ電話システムをボタン電話装置に適用した例について説明する。
【００３９】
前述した第１の実施の形態では、回線切替装置１から通話チャネルＢ１，Ｂ２ごとにアナログ停電回線１０Ａ，１０Ｂを提供し、２つの停電用子機３０Ａ，３０Ｂで各通話チャネルＢ１，Ｂ２を使い分ける場合について説明したが、本実施の形態では、１つの停電用子機３０Ａで通話チャネルＢ１，Ｂ２を共用する場合について説明する。
【００４０】
本実施の形態にかかる回線切替装置１には、図１のＤＳＵ１１、２ＷＩ／Ｆ部１２，１３に加えて、状態検出部１４，１５、回線切替部１６、切替制御部１７、通知線１８および信号線１９が設けられている。
状態検出部１４は、２ＷＩ／Ｆ部１２からのアナログ停電回線１０Ａの状態、例えば着信や通話の有無を検出する回路部である。
状態検出部１５は、２ＷＩ／Ｆ部１３からのアナログ停電回線１０Ｂの状態、例えば着信や通話の有無を検出する回路部である。
信号線１９は切替制御部１９からアナログ停電回線１０Ｃを介して停電用子機３０Ａへ話中着信音を送出するための配線である。
【００４１】
回線切替部１６は、アナログ停電回線１０Ｃに接続された停電用子機３０Ａを、リレーＬによりアナログ停電回線１０Ａ，１０Ｂのいずれか一方へ切替接続する回路部である。
切替制御部１７は、ＣＰＵとメモリ回路などの周辺回路とからなり、所定のプログラムを実行することにより回線切替部１６すなわちリレーＬの切替制御を行うとともに、通知線１８を介して回線切替部１６で選択されている通話チャネルを主装置２へ通知する回路部である。
なお、回線切替装置１内のこれら回路部は、ＤＳＵ１１から供給される電源Ｖにより動作する。
【００４２】
次に、図７および図８を参照して、本実施の形態にかかるＩＳＤＮ電話システムの動作について説明する。図７は回線切替装置の切替制御処理を示すフローチャートであり、図８は主装置２の制御部２４における通話管理処理を示すフローチャートである。
本実施の形態において、停電用子機３０Ａは図３と同様の構成を有し、図４（ａ）に示した通話継続処理を行うものとする。
なお、主装置２は、図２と同様の構成を有しており、通知線１８を介して回線切替装置１から通知された通話チャネルを制御部２４で受け取るものとなっている。
【００４３】
回線切替装置１の切替制御部１７では、図７の切替制御処理において、まず、状態検出部１４によりアナログ停電回線１０Ａすなわち通話チャネルＢ１への着信有無をチェックする（ステップ１２０）。この際、ＤＳＵ１１でＩＳＤＮ回線１０から通話チャネルＢ１への着信メッセージが受信されて、２ＷＩ／Ｆ部１２から例えば１６Ｈｚ呼び出し信号が出力されている場合は着信ありと判断される（ステップ１２０：ＹＥＳ）。
そして、状態検出部１５によりアナログ停電回線１０Ｂすなわち通話チャネルＢ２での通話有無をチェックする（ステップ１２１）。
【００４４】
ここで、アナログ停電回線１０Ｂが捕捉されておらず、通話チャネルＢ２が通話中でない場合は（ステップ１２１：ＮＯ）、停電用子機３０Ａが空き状態すなわち着信応答可能な状態であり、回線切替部１６のリレーＬの切替制御が必要ないと判断して、ステップ１２０へ戻る。
これにより、２ＷＩ／Ｆ部１２からの呼び出し信号に応じて停電用子機３０Ａの回線Ｉ／Ｆ部３４で着信呼び出しが行われ、オフフック操作に応じて着信応答となり、２ＷＩ／Ｆ部１２およびＤＳＵ１１の制御により、通話チャネルＢ１を用いた通話が開始される。
【００４５】
一方、通話チャネルＢ２が通話中の場合は（ステップ１２１：ＹＥＳ）、切替制御部１７から信号線１９を介してアナログ停電回線１０Ｃへ通話中着信音を送出して、通話チャネルＢ１への着信有りを利用者へ通知し（ステップ１２２）、ステップ１２３，１２６からなる待機ループへ移行する。
この待機ループにおいて、通話チャネルＢ２が終話された場合（ステップ１２３：ＹＥＳ）、その通話のために切替制御していたリレーＬを通話チャネルＢ１側へ切替制御する（ステップ１２４）。
【００４６】
そして、通知線１８を介して主装置２へ停電用子機３０Ａが選択している通話チャネルがＢ１であることを通知し（ステップ１２５）、ステップ１２０へ移行する。
なお、上記待機ループにおいて、通話チャネルＢ１側の着信が停止された場合（ステップ１２６：ＹＥＳ）、アナログ停電回線１０Ｃへの通話中着信音の送出を停止し（ステップ１２７）、ステップ１２０へ移行する。
【００４７】
また、ステップ１２０において、通話チャネルＢ１への着信が検出されなかった場合（ステップ１２０：ＮＯ）、切替制御部１７では、状態検出部１５によりアナログ停電回線１０Ｂすなわち通話チャネルＢ２への着信有無をチェックする（ステップ１３０）。この際、ＤＳＵ１１でＩＳＤＮ回線１０から通話チャネルＢ２への着信メッセージが受信されて、２ＷＩ／Ｆ部１３から例えば１６Ｈｚ呼び出し信号が出力されている場合は着信ありと判断される（ステップ１３０：ＹＥＳ）。
そして、状態検出部１２によりアナログ停電回線１０Ａすなわち通話チャネルＢ１での通話有無をチェックする（ステップ１３１）。
【００４８】
ここで、アナログ停電回線１０Ａが捕捉されておらず、通話チャネルＢ１が通話中でない場合は（ステップ１３１：ＮＯ）、停電用子機３０Ａが空き状態すなわち着信応答可能な状態であり、リレーＬの切替制御が必要ないと判断して、ステップ１２０へ戻る。
これにより、２ＷＩ／Ｆ部１３からの呼び出し信号に応じて停電用子機３０Ａの回線Ｉ／Ｆ部３４で着信呼び出しが行われ、オフフック操作に応じて着信応答となり、２ＷＩ／Ｆ部１３およびＤＳＵ１１の制御により、通話チャネルＢ２を用いた通話が開始される。
【００４９】
一方、通話チャネルＢ１が通話中の場合は（ステップ１３１：ＹＥＳ）、切替制御部１７からアナログ停電回線１０Ｃへ通話中着信音を送出して、通話チャネルＢ２への着信有りを利用者へ通知し（ステップ１３２）、ステップ１３３，１３６からなる待機ループへ移行する。
この待機ループにおいて、通話チャネルＢ１が終話された場合（ステップ１３３：ＹＥＳ）、その通話のために切替制御していたリレーＬを通話チャネルＢ２側へ切替制御する（ステップ１３４）。
【００５０】
そして、通知線１８を介して主装置２へ停電用子機３０Ａが選択している通話チャネルがＢ２であることを通知し（ステップ１３５）、ステップ１２０へ移行する。
なお、上記待機ループにおいて、通話チャネルＢ２側の着信が停止された場合（ステップ１３６：ＹＥＳ）、アナログ停電回線１０Ｃへの通話中着信音の送出を停止し（ステップ１３７）、ステップ１２０へ移行する。
【００５１】
また、ステップ１３０において、通話チャネルＢ２への着信が検出されなかった場合（ステップ１３０：ＮＯ）、切替制御部１７では、通話チャネルＢ２を用いた通話が終話しているか判断する（ステップ１４０）。
ここで、通話チャネルＢ２を用いた通話が終話している場合には（ステップ１４０：ＹＥＳ）、リレーＬを通話チャネルＢ１側へ切り替えるとともに（ステップ１４１）、停電用子機３０Ａに対して選択されている通話チャネルがＢ１であることを通知し（ステップ１４２）、ステップ１２０へ移行する。
一方、通話チャネルＢ２を用いた通話が終話していない場合は（ステップ１４０：ＮＯ）、ステップ１２０へ移行する。
【００５２】
このような切替制御処理により、いずれか一方の通話チャネルへ着信があった場合は、回線切替部１６のリレーＬが切替制御されて、その着信があった通話チャネルと停電用子機３０Ａとが接続される。
このとき、停電用子機３０Ａが他方の通話チャネルを用いて通話している場合は、話中着信音により停電用子機３０Ａで通話している利用者へ着信を通知し、その終話に応じてリレーＬが切替制御され着信通話チャネルと停電用子機３０Ａとが接続される。
【００５３】
一方、主装置２の制御部２４では、図８の通話管理処理において、まず、内線Ｉ／Ｆ部２３からの再給電により動作開始状態にある停電用子機３０Ａ（ＴＥＬ１）とデータ伝送して、停電用子機３０Ａのフックスイッチ３９の状態を取得する（ステップ１５０）。
そして、停電用子機３０Ａのフックスイッチ３９がオフフック状態の場合は（ステップ１５１：ＹＥＳ）、その停電用子機３０Ａが通話状態にあると判断し、回線切替装置１から通知線１８を介して通知されたチャネル通知により、停電用子機３０Ａに対して選択されている通話チャネルを確認する（ステップ１５２）。
【００５４】
ここで、停電用子機３０Ａに対して選択されている通話チャネルが通話チャネルＢ１の場合は（ステップ１５３：ＹＥＳ）、その通話チャネルＢ１すなわち外線Ｂ１が使用中状態であることを記憶部２５の管理情報へ設定更新する（ステップ１５４）。
そして、各子機３および停電用子機３０Ａとデータ伝送することにより、その通話チャネルＢ１に対応する外線Ｂ１のランプを点灯させて、外線Ｂ１が使用中であることを各子機３および停電用子機３０Ａで表示し（ステップ１５５）、一連の通話管理処理を終了する。
【００５５】
一方、停電用子機３０Ａに対して選択されている通話チャネルが通話チャネルＢ２の場合は（ステップ１５３：ＮＯ）、その通話チャネルＢ２すなわち外線Ｂ２が使用中状態であることを記憶部２５の管理情報へ設定更新する（ステップ１５６）。
そして、各子機３および停電用子機３０Ａとデータ伝送することにより、その通話チャネルＢ２に対応する外線Ｂ２のランプを点灯させて、外線Ｂ２が使用中であることを各子機３および停電用子機３０Ａで表示し（ステップ１５７）、一連の通話管理処理を終了する。
【００５６】
したがって、主装置２の復電時に停電用子機３０Ａが回線切替装置１のアナログ停電回線１０Ｂを介してＩＳＤＮ回線１０の通話チャネルＢ２で通話を行っていた場合は、図９のような動作となる。
図９は本実施の形態にかかるＩＳＤＮ電話システムの動作例を示すタイミングチャートである。
【００５７】
まず、時刻Ｔ１に主装置２が停電状態となった場合、内線伝送路２０Ａを介した電源供給が停止されて、停電用子機３０ＡのリレーＲＬが復旧し、アナログ停電回線１０Ｃとそれぞれの回線Ｉ／Ｆ部３４とが閉結される。
このような停電状態における時刻Ｔ２において、通話チャネルＢ２へ着信があった場合、ＤＳＵ１１から２ＷＩ／Ｆ部１３を介してアナログ停電回線１０Ｂへ着信呼び出しが行われる。
【００５８】
切替制御部１７では、状態検出部１５を介してアナログ停電回線１０Ｂへの着信呼び出しを検出し、回線切替部１６のリレーＬをアナログ停電回線１０Ｂ側へ切替制御するとともに、主装置２に対して通話チャネルＢ２が選択されていることをチャネル通知で通知する。
停電用子機３０Ａでは、この着信呼び出しに対してオフフック操作することにより着信応答した場合、回線Ｉ／Ｆ部３４によりアナログ停電回線１０Ｃが捕捉される。そして、通話チャネルＢ２を用いた停電用子機３０Ａでの通話が開始される。
【００５９】
その後、時刻Ｔ３において、主装置２が停電状態から通電状態となった場合、停電用子機３０Ａでは通話が継続されておりオフフック状態であることから、リレーＲＬは駆動されずに閉結状態のままとなり、アナログ停電回線１０Ｃを用いた通話が維持される。
また、主装置２では、停電用子機３０Ａがオフフック状態にあることから、回線切替装置１からのチャネル通知に基づき通話チャネルＢ２が使用中であると判断して記憶部２５の管理情報を更新し、各子機３および停電用子機３０Ａのランプを制御する。
これにより、外線Ｂ２のランプが点灯されて、利用者に対して外線Ｂ２が使用中であることが通知されるとともに、外線Ｂ１が空き状態であり利用可能であることが通知され、停電状態から通話が継続されている場合でも、外線の使用可否について利用者に対して的確に通知できる。
【００６０】
そして、その後の時刻Ｔ４に停電用子機３１で終話操作された場合、リレーＲＬが駆動されて開放状態となり、アナログ停電回線１０Ｃから回線Ｉ／Ｆ部３４が切り離される。
また、主装置２では、通常の呼制御処理に基づき、停電用子機３０Ａのオフフックに応じて外線Ｂ２を用いた通話の終了を確認し、各子機３および停電用子機３０Ａのランプを制御する。
これにより外線Ｂ２のランプが消灯されて、外線Ｂ２が空き状態となったことが利用者へ通知される。
【００６１】
このように、回線切替装置１の切替制御部１７で、停電用子機に対してＩＳＤＮ回線の通話チャネルのうちのいずれかを任意に切替接続するとともに、電話装置に対して停電用子機と接続している通話チャネルを通知し、主装置２の制御部２４で、停電状態から給電状態となった際、回線切替装置からの通知に基づき、各通話チャネルの使用状況を検出するようにしたので、１つの停電用子機３０Ａで複数の通話チャネルを利用できるとともに、その停電用子機３０Ａで選択している通話チャネルを主装置２で容易に把握できる。
【００６２】
【発明の効果】
以上説明したように、本発明は、ＩＳＤＮ回線と電話装置との間に回線切替装置を設けて、ＩＳＤＮ回線の通話チャネルを電話装置側または停電用電話機側のいずれかへ切替接続し、停電用電話機では、停電動作部により、停電状態で回線切替装置を経由してＩＳＤＮ回線の通話チャネルを用いて通話を開始し、通電動作部により、通電状態で電話装置を介してＩＳＤＮ回線の通話チャネルを用いて通話を開始し、停電状態から通電状態となった際、停電動作部により通話が行われている場合には、停電動作部による通話を維持し、電話装置では、制御部により、停電状態において回線切替装置を経由してＩＳＤＮ回線のうち停電用電話機により使用可能な通話チャネルと停電用電話機とを接続し、停電状態から給電状態となった際、回線切替装置経由での停電用電話機によるＩＳＤＮ回線の各通話チャネルの使用状況を検出し、これら通話チャネルに対応する停電用電話機の外線ランプを点灯制御するようにしたので、電話装置への再給電時に停電用電話機の通話を維持することができ、また停電状態でも空き通話チャネルが占有されることなく各通話チャネルを有効に利用できる。
【図面の簡単な説明】
【図１】  本発明の第１の実施の形態にかかるＩＳＤＮ電話システムの構成を示すブロック図である。
【図２】  図１の主装置の構成を示すブロック図である。
【図３】  図１の停電用子機の構成を示すブロック図である。
【図４】  本発明の第１の実施の形態にかかるＩＳＤＮ電話システムの動作を示すフローチャートである。
【図５】  本発明の第１の実施の形態にかかるＩＳＤＮ電話システムの動作を示すシーケンス図である。
【図６】  本発明の第２の実施の形態にかかるＩＳＤＮ電話システムの構成を示すブロック図である。
【図７】  図６の回線切替装置の切替制御処理を示すフローチャートである。
【図８】  図６の主装置の通話管理処理を示すフローチャートである。
【図９】  本発明の第２の実施の形態にかかるＩＳＤＮ電話システムの動作を示すシーケンス図である。
【図１０】  従来のＩＳＤＮ電話システムの構成を示すブロック図である。
【符号の説明】
１…回線切替装置、１１…ＤＳＵ、１２，１３…２ＷＩ／Ｆ部、１４，１５…状態検出部、１６…回線切替部、１７…切替制御部、１８…通知線、Ｌ…リレー、１０…ＩＳＤＮ（Ｕ点インターフェース）、１０Ａ，１０Ｂ，１０Ｃ…アナログ停電回線、２０…通電伝送路、２０Ａ，２０Ｂ…内線伝送路、２…主装置、２１…外線Ｉ／Ｆ部、２２…交換接続部、２３…内線Ｉ／Ｆ部、２４…制御部、２４Ａ…呼制御手段、２５…記憶部、３…子機、３０Ａ，３０Ｂ…停電用子機、３Ａ…通電動作部、３Ｂ…停電動作部、３１…電源部、３２…伝送制御コーデック、３３…通電制御部、３４…回線Ｉ／Ｆ部、ＲＬ…リレー、３８…通話部、３９…フックスイッチ（ＨＳ）。
【図１】
0003985484.tif 000002
【図２】
0003985484.tif 000003
【図３】
0003985484.tif 000004
【図４】
0003985484.tif 000005
【図５】
0003985484.tif 000006
【図６】
0003985484.tif 000007
【図７】
0003985484.tif 000008
【図８】
0003985484.tif 000009
【図９】
0003985484.tif 000010
【図１０】
0003985484.tif 000011